(57)【要約】【課題】  従来のアスファルトフィニッシャは、走行スイッチの走行停止操作が行われて前輪と後輪が同時に停止すると、後退する現象が起きて路面に傷がついてしまう。【解決手段】  アスファルトフィニッシャ１の前輪６Ｌ，６Ｒが後輪７Ｌ，７Ｒを引張って走行している走行状態において、走行スイッチ１３によるアスファルトフィニッシャ１の走行を停止する操作が行われても、オフディレータイマ内蔵リレー１４により、前輪用電磁弁駆動ソレノイド１１への通電が切断された後に遅れて後輪用電磁弁駆動ソレノイド１２への通電が切断される。このため、後輪７Ｌ，７Ｒは前輪６Ｌ，６Ｒが停止してから所定時間遅れて停止するので、アスファルトフィニッシャ１の停止時にアスファルトフィニッシャ１が後退する現象を防止することが出来る。この結果、アスファルトフィニッシャ１の後退によって舗装面が傷つけられることが無くなる。【選択図】  図４
2008202302.tif 000002
【特許請求の範囲】
【請求項１】
車体の前方および後方に設けられた前輪および後輪と、通電があると前記前輪へ駆動力を伝達し、通電が断たれると前記前輪への駆動力の伝達を断つ前輪駆動手段と、通電があると前記後輪へ駆動力を伝達し、通電が断たれると前記後輪への駆動力の伝達を断つ後輪駆動手段と、発進側に切り換え操作が行われると前記前輪駆動手段へ通電を行い、停止側に切り換え操作が行われると前記前輪駆動手段への通電を断つ走行切換操作手段と、この走行切換操作手段によって前記前輪駆動手段への通電が行われると速やかに前記後輪駆動手段へ通電させ、前記走行切換操作手段によって前記前輪駆動手段への通電が断れると前記後輪駆動手段の通電を所定時間遅らせて切断させる通電制御手段とを備えたことを特徴とする舗装機械。
【発明の詳細な説明】
【技術分野】
【０００１】
本発明は、走行切換操作手段の発進側または停止側への切り換え操作に応じて前輪駆動手段および後輪駆動手段による前輪および後輪への駆動力の伝達を切り換える舗装機械に関するものである。
【背景技術】
【０００２】
従来、この種の舗装機械としては、例えば、下記の特許文献１に開示されるアスファルトフィニッシャがある。アスファルトフィニッシャの操作部には、車体の走行開始または走行停止に応じて、油圧ポンプの起動を「ＯＮ」または「ＯＦＦ」に切り替える走行スイッチが備えられている。走行スイッチが「ＯＮ」に切り替えられると、油圧ポンプから供給される圧油が伝えられて油圧モータが駆動される。これにより、車体の前方および後方に設けられた前輪と後輪の４輪が駆動されてアスファルトフィニッシャは走行し、牽引するスクリードによってアスファルトを路面に敷き詰める。
【特許文献１】特開２００５−１４７２７５号公報（段落［００１３］〜［００１６］および図１〜図３参照）
【発明の開示】
【発明が解決しようとする課題】
【０００３】
しかしながら、特許文献１に開示された上記従来のアスファルトフィニッシャは、前輪が後輪をアシストするように、前輪が後輪よりも速く回転するように駆動調整され、常に前輪が後輪を引張った状態で走行する。このような走行状態において、図１に示す走行スイッチ２１を「ＯＮ」から「ＯＦＦ」に切り替えてアスファルトフィニッシャの走行を停止させると、前輪用電磁弁２２および後輪用電磁弁２３への通電が同時に断たれ、前輪と後輪の駆動力が同時に切れて、アスファルトフィニッシャが少し後退する現象が起こる。この現象により、上記従来のアスファルトフィニッシャは、舗装面を傷つけてしまい、舗装品質に悪影響を与えるという問題があった。
【課題を解決するための手段】
【０００４】
本発明はこのような課題を解決するためになされたもので、車体の前方および後方に設けられた前輪および後輪と、通電があると前輪へ駆動力を伝達し、通電が断たれると前輪への駆動力の伝達を断つ前輪駆動手段と、通電があると後輪へ駆動力を伝達し、通電が断たれると後輪への駆動力の伝達を断つ後輪駆動手段と、発進側に切り換え操作が行われると前輪駆動手段へ通電を行い、停止側に切り換え操作が行われると前輪駆動手段への通電を断つ走行切換操作手段と、この走行切換操作手段によって前輪駆動手段への通電が行われると速やかに後輪駆動手段へ通電させ、走行切換操作手段によって前輪駆動手段への通電が断れると後輪駆動手段の通電を所定時間遅らせて切断させる通電制御手段とを備えたことを特徴とする。
【０００５】
本構成によれば、前輪が後輪を引張って走行している走行状態において、走行切換操作手段による舗装機械の走行を停止する停止操作が行われても、通電制御手段により、前輪駆動手段への通電が切断された後に遅れて後輪駆動手段への通電が切断される。このため、前輪と後輪の駆動力が同時に切れることが無くなり、後輪は前輪が停止してから所定時間遅れて停止するため、舗装機械の停止時に舗装機械が後退する現象を防止することが出来る。この結果、舗装機械の後退によって舗装面が傷つけられることが無くなるので、舗装面は荒れず、舗装品質に悪影響を与えてしまう問題は解消される。
【発明の効果】
【０００６】
本発明による舗装機械は、上記のように、通電制御手段によって前輪駆動手段への通電が切断された後に遅れて後輪駆動手段への通電が切断されるので、前輪と後輪の駆動力が同時に切れることが無くなる。このため、舗装機械の停止時に舗装機械が後退する現象が防止されて、舗装品質に悪影響を与えてしまう問題は解消される。
【発明を実施するための最良の形態】
【０００７】
次に、本発明を実施するための最良の形態について説明する。
【０００８】
図２は、この最良の形態によるアスファルトフィニッシャ１の側面図、図３は、アスファルトフィニッシャ１の構成の概略を示す一部破断側面図である。
【０００９】
図２および図３に示すように、アスファルトフィニッシャ１は、アスファルト加熱混合物ｋが積み込まれるホッパ２が車体の前部に設けられている。ホッパ２の後方の車体下部には、ホッパ２に積み込まれたアスファルト加熱混合物ｋを搬送するコンベヤ３が設けられており、コンベヤ３のさらに後方の車体下部にはスクリュスプレッダ４が設けられている。スクリュスプレッダ４は、スクリュ軸の外周にスクリュ羽根が形成されており、スクリュ軸が定速回転するのに伴いスクリュ羽根が旋回し、コンベヤ３から供給されて路面Ｒ上に落下したアスファルト加熱混合物ｋを路面Ｒの幅方向に撒き拡げる。車体の後方には、撒き拡げたアスファルト加熱混合物ｋを敷き均して舗装面を平滑に仕上げるスクリード装置５が設けられている。アスファルトフィニッシャ１は、車体の前方および後方に設けられた一対の前輪６Ｌ，６Ｒおよび一対の後輪７Ｌ，７Ｒによって進行方向である同図左方に走行し、スクリード装置５を牽引する。また、車体上部の運転席８には操作部９が設けられており、操作部９には、アスファルトフィニッシャ１の走行を操作する後述する走行スイッチ１３や、スクリード装置５を操作する操作レバーや操作スイッチなどが設けられている。
【００１０】
図４は、アスファルトフィニッシャ１の走行電気回路図である。
【００１１】
走行電気回路は、電源供給ラインＬと接地ラインＥとの間に、前輪用電磁弁駆動ソレノイド１１、後輪用電磁弁駆動ソレノイド１２、走行スイッチ１３、およびオフディレータイマ内蔵リレー１４を備えている。
【００１２】
前輪用電磁弁駆動ソレノイド１１は、通電があると油圧ポンプからの圧油供給流路を開いて前輪６Ｌ，６Ｒへ駆動力を伝達し、通電が断たれると油圧ポンプからの圧油供給流路を閉じて前輪６Ｌ，６Ｒへの駆動力の伝達を断つ前輪駆動手段を構成している。また、後輪用電磁弁駆動ソレノイド１２は、通電があると油圧ポンプからの圧油供給流路を開いて後輪７Ｌ，７Ｒへ駆動力を伝達し、通電が断たれると油圧ポンプからの圧油供給流路を閉じて後輪７Ｌ，７Ｒへの駆動力の伝達を断つ後輪駆動手段を構成している。
【００１３】
また、走行スイッチ１３は、発進側つまり「ＯＮ」側に切り換え操作が行われると前輪用電磁弁駆動ソレノイド１１へ通電を行い、停止側つまり「ＯＦＦ」側に切り換え操作が行われると前輪用電磁弁駆動ソレノイド１１への通電を断つ走行切換操作手段を構成している。すなわち、走行スイッチ１３の「ＯＮ」側接点には前輪用電磁弁駆動ソレノイド１１が直列に接続されており、走行スイッチ１３が「ＯＦＦ」側から「ＯＮ」側に切り換えられると、電源供給ラインＬから「ＯＮ」側接点を介して前輪用電磁弁駆動ソレノイド１１へ電流が通電され、前輪用電磁弁が開いて前輪６Ｌ，６Ｒを駆動する油圧モータに圧油が供給されて、前輪６Ｌ，６Ｒへ駆動力が伝達される。逆に、走行スイッチ１３が「ＯＮ」側から「ＯＦＦ」側に切り換えられると、電源供給ラインＬから「ＯＮ」側接点を介する前輪用電磁弁駆動ソレノイド１１への通電が切断され、前輪用電磁弁が閉じて前輪６Ｌ，６Ｒを駆動する油圧モータへの圧油供給が停止されて、前輪６Ｌ，６Ｒへの駆動力の伝達が断たれる。
【００１４】
また、オフディレータイマ内蔵リレー１４は、前輪用電磁弁駆動ソレノイド１１に並列に接続されたリレーコイル１４ａと、後輪用電磁弁駆動ソレノイド１２に直列に接続されたリレー接点１４ｂとからなり、後輪用電磁弁駆動ソレノイド１２への通電制御手段を構成している。
【００１５】
つまり、このオフディレータイマ内蔵リレー１４は、走行スイッチ１３の「ＯＮ」側への切り換え操作によって前輪用電磁弁駆動ソレノイド１１への通電が行われると、リレーコイル１４ａにも同時に通電が行われるので、リレーコイル１４ａが直ちにリレー接点１４ｂを閉じ、速やかに後輪用電磁弁駆動ソレノイド１２へ通電させる。このため、走行スイッチ１３の「ＯＮ」側への切り換え操作によって前輪６Ｌ，６Ｒおよび後輪７Ｌ，７Ｒを駆動する各油圧モータに同時に油圧ポンプからの圧油が供給され、前輪６Ｌ，６Ｒおよび後輪７Ｌ，７Ｒは同時に回転をし始める。ただし、前輪６Ｌ，６Ｒが後輪７Ｌ，７Ｒをアシストするように、前輪６Ｌ，６Ｒが後輪７Ｌ，７Ｒよりも速く回転するように、駆動調整される。従って、アスファルトフィニッシャ１は、常に前輪６Ｌ，６Ｒが後輪７Ｌ，７Ｒを引張った状態で走行する。
【００１６】
また、オフディレータイマ内蔵リレー１４は、走行スイッチ１３の「ＯＦＦ」側への切り換え操作によって前輪用電磁弁駆動ソレノイド１１への通電が断たれると、リレーコイル１４ａへの通電も同時に断たれるが、リレーコイル１４ａが所定時間遅れてリレー接点１４ｂを開くことにより、後輪用電磁弁駆動ソレノイド１２の通電を所定時間遅らせて切断させる。このため、走行スイッチ１３の「ＯＦＦ」側への切り換え操作時には、後輪７Ｌ，７Ｒを駆動する油圧モータへの圧油供給停止は、前輪６Ｌ，６Ｒを駆動する油圧モータへの圧油供給停止から所定時間遅れて行われる。よって、後輪７Ｌ，７Ｒは前輪６Ｌ，６Ｒの回転停止から所定時間遅れて回転が停止する。
【００１７】
本実施形態によれば、アスファルトフィニッシャ１の前輪６Ｌ，６Ｒが後輪７Ｌ，７Ｒを引張って走行している走行状態において、走行スイッチ１３によるアスファルトフィニッシャ１の走行を停止する「ＯＮ」側から「ＯＦＦ」側に切り換え操作が行われても、オフディレータイマ内蔵リレー１４により、上述したように、前輪用電磁弁駆動ソレノイド１１への通電が切断された後に遅れて後輪用電磁弁駆動ソレノイド１２への通電が切断される。このため、本実施形態によれば、前輪６Ｌ，６Ｒと後輪７Ｌ，７Ｒの駆動力が同時に切れることが無くなり、後輪７Ｌ，７Ｒは前輪６Ｌ，６Ｒが停止してから所定時間遅れて停止するため、アスファルトフィニッシャ１の停止時にアスファルトフィニッシャ１が後退する現象を防止することが出来る。この結果、アスファルトフィニッシャ１の後退によって舗装面が傷つけられることが無くなるので、舗装面は荒れず、舗装品質に悪影響を与えてしまう問題は解消される。
【産業上の利用可能性】
【００１８】
上記実施形態においては、本発明の舗装機械をアスファルトフィニッシャ１に適用した場合について説明したが、前輪および後輪を備えて走行するコンクリートフィニッシャといった他の舗装機械に適用しても、上記実施形態と同様な作用効果が奏される。
【図面の簡単な説明】
【００１９】
【図１】従来のアスファルトフィニッシャの走行電気回路図である。
【図２】本発明の最良の実施形態によるアスファルトフィニッシャの外観を示す側面図である。
【図３】図２に示すアスファルトフィニッシャの構成の概略を示す一部破断側面図である。
【図４】図２に示すアスファルトフィニッシャの走行電気回路図である。
【符号の説明】
【００２０】
１…アスファルトフィニッシャ
６Ｌ，６Ｒ…前輪
７Ｌ，７Ｒ…後輪
１１…前輪用電磁弁駆動ソレノイド
１２…後輪用電磁弁駆動ソレノイド
１３…走行スイッチ
１４…オフディレータイマ内蔵リレー
１４ａ…リレーコイル
１４ｂ…リレー接点
【図１】
2008202302.tif 000003
【図２】
2008202302.tif 000004
【図３】
2008202302.tif 000005
【図４】
2008202302.tif 000006